(57)【要約】      （修正有）【課題】  全体の見映えが悪化することを抑えつつ、目地をきれいに形成することができる空気調和装置の室内機を提供する。【解決手段】  ケーシング４と、フロントパネル３とを備えている空気調和装置１００の室内機１であって、ケーシング４は前面側側面５４ｂおよび背面側側面５４ａを含み、フロントパネル３は側面３４を含み、ケーシング４に対してセットおよびセット解除をすることができるようになっている。また、フロントパネル３の側面３４には、手掛けツマミ３１内面にストッパー３８が形成されており、ケーシング４の背面側側面５４ａにはリブ５８が形成されている。ケーシング４にフロントパネル３をセットした状態においては、背面側側面５４ａとフロントパネル３の側面３４とが一部重なってストッパー３８がリブ５８に当接し、前面側側面５４ｂとフロントパネル３の側面３４との間にきれいな目地Ｌが形成される。【選択図】      図１１
2005069544.tif 000002
【特許請求の範囲】
【請求項１】
少なくとも第１側面（５４ｂ、６４）、第２側面（５４ａ）および第３側面（３４）から側面が形成される空気調和装置の室内機（１）であって、
前記第１側面（５４ｂ、６４）および第２側面（５４ａ）を含むケーシング（４）と、
前記第３側面（３４）を含み、前記ケーシング（４）に対してセットおよびセット解除が可能なフロントパネル（３）と、
を備え、
前記フロントパネル（３）の前記第３側面（３４）には、外側に膨出する膨出部（３１）と、前記膨出部（３１）内側のストッパー（３８）とが形成されており、
前記ケーシング（４）の前記第２側面（５４ａ）には、前記ストッパー（３８）が当接する被当接部（５８）が形成されており、
前記ケーシング（４）に前記フロントパネル（３）をセットした状態において、前記第１側面（５４ｂ、６４）と前記第３側面（３４）とは前記第２側面（５４ａ）よりも外側に位置し、側面視において前記第２側面（５４ａ）と前記第３側面（３４）とが一部重なって前記ストッパー（３８）が前記被当接部（５８）に当接し、前記第１側面（５４ｂ、６４）と前記第３側面（３４）との間に目地（Ｌ）が形成される、
空気調和装置の室内機（１）。
【請求項２】
前記フロントパネル（３）は、正面において前記ケーシング（４）に係止する係止部（３９）を有している、
請求項１に記載の空気調和装置の室内機（１）。
【請求項３】
前記膨出部（３１）は、前記フロントパネル（３）のセット解除において手掛けツマミとして用いられる、
請求項１または２に記載の空気調和装置の室内機（１）。
【請求項４】
前記ケーシング（４）に前記フロントパネル（３）をセットした状態において、前記ストッパー（３８）および前記被当接部（５８）は、側面視において視野に入らない、
請求項１から３のいずれかに記載の空気調和装置の室内機（１）。
【請求項５】
前記ケーシング（４）に前記フロントパネル（３）をセットした状態において、前記ストッパー（３８）には前記被当接部（５８）に押し付けられる力が作用している、
請求項１から４のいずれかに記載の空気調和装置の室内機（１）。
【請求項６】
前記膨出部（３１）は、前記第３側面（３４）において、前記目地（Ｌ）を構成する側の端面に設けられる、
請求項１から５のいずれかに記載の空気調和装置の室内機（１）。
【請求項７】
前記目地（Ｌ）は、側面視において鉛直方向（Ｄ１）に延びる部分を少なくとも有する、
請求項１から６のいずれかに記載の空気調和装置の室内機（１）。
【請求項８】
前記目地（Ｌ）の幅は一定である、
請求項１から７のいずれかに記載の空気調和装置の室内機（１）。
【発明の詳細な説明】
【技術分野】
【０００１】
本発明は、空気調和装置の室内機、特に、少なくとも３つの面から側面が形成される空気調和装置の室内機に関する。
【背景技術】
【０００２】
従来から、ビルや住宅などの建物内における空気を冷やしたり暖めたりして調和し、建物の内部空間の快適性を向上させる壁掛け型の空気調和装置が広く普及している。
壁掛け型の空気調和装置の室内機は、熱交換器、送風ファンや電装品箱などの構成部品を収納する本体ケーシングを備えている。そして、室内機は、通常このような本体ケーシングと、室内機の前面をカバーするためのフロントパネルとが組み合わされることによって構成されている。
【０００３】
このような壁掛け型の空気調和装置の室内機では、本体ケーシングとフロントパネルとを組み合わせることにより側面において目地が現れる。この目地は、室内機の外観を良く見せるためにできるだけきれいに形成されていることが望ましい。このため、従来から、フロントパネルが本体ケーシングに対して嵌合される際にきれいな目地が形成されるように、本体ケーシング側の側面の目地が形成される部分の近傍に係止部を設ける等の工夫が施されている。
【０００４】
ところが、このように本体ケーシングの側面に係止部を設けた場合には、結果的に室内機全体の横幅の拡大化を招いてしまい、小型化が望まれる室内機においては好ましくない。また、本体ケーシングの側面に係止部を設けている場合には、当該係止部が、空調対象の室内空間に存在している人間の視野に入ってしまう恐れがあるため外観上も好ましくない。
【０００５】
このため、近年の室内機においては、以下の特許文献１に示すように、本体ケーシングとフロントパネルとの嵌合に用いる係止部を、本体ケーシングの側面ではなくて本体ケーシングの前面下端部近傍に設けるという構造にしてフロントパネルを本体ケーシングの前面下端部において係止させ、室内機の横幅の拡大化を防止するという構成が採用されている。
【特許文献１】特開平９−１０１０５４号公報  第９図
【発明の開示】
【発明が解決しようとする課題】
【０００６】
上述した本体ケーシングの前面下端部近傍に係止部を設けた室内機では、係止部が室内空間に存在する人間の視野に入りにくいため、外観を良くすることができる。
しかし、本体ケーシングに対してフロントパネルを嵌合させた場合に、室内機の側面近傍においてはフロントパネルの位置を定める基準となるものが何も無いため、側面に形成される目地をきれいに保つことが難しくなる。外観の崩れた目地は、空調対象の室内空間にいる人間の視野に入ってしまい室内機を設置した空間の美観を損なう恐れがあるため、好ましくない。
【０００７】
本発明の課題は、全体の見映えが悪化することを抑えつつ、目地をきれいに形成することができる空気調和装置の室内機を提供することにある。
【課題を解決するための手段】
【０００８】
請求項１に係る空気調和装置の室内機は、少なくとも第１側面、第２側面および第３側面から側面が形成される空気調和装置の室内機であって、ケーシングと、フロントパネルとを備えている。ケーシングは、第１側面および第２側面を含んでいる。フロントパネルは、第３側面を含み、ケーシングに対してセットおよびセット解除をすることができるようになっている。ここで、フロントパネルをケーシングに対してセットするとは、フロントパネルをケーシングに取り付けることや、フロントパネルが本体ケーシングに対して開閉可能に取り付けられている場合において開いた状態になっているフロントパネルを閉じること等をいう。また、フロントパネルをケーシングからセット解除するとは、フロントパネルをケーシングから取り外すことや、フロントパネルが本体ケーシングに対して開閉可能に取り付けられている場合において閉じた状態になっているフロントパネルを開けること等をいう。また、フロントパネルの第３側面には、外側に膨出する膨出部と、膨出部内面のストッパーとが形成されており、ケーシングの第２側面には、ストッパーが当接する被当接部が形成されている。この場合において、ケーシングにフロントパネルをセットした状態において、第１側面と第３側面とは第２側面よりも外側に位置している。また、ケーシングにフロントパネルをセットした状態においては、側面視において第２側面と第３側面とが一部重なってストッパーが被当接部に当接し、第１側面と第３側面との間に目地が形成される。
【０００９】
ここでは、フロントパネルのセット時において、第２側面を含むケーシングの側面に設けられた被当接部と、第３側面を含むフロントパネルに設けられたストッパーとによって、室内機の側面の調整を行うことができる。したがって、室内機の側面における目地をきれいに形成させることができるようになる。また、第３側面に設けられたストッパーは第３側面の膨出部の内側に設けられており、第２側面に設けられた被当接部はフロントパネルのセット時において外側に位置する第３側面の膨出部によって覆い隠され、側面視においてこれらを見えにくくすることができる。このため、ストッパーや被当接部を視野に入りにくくすることができるようになり全体の見映えが悪化することを抑えつつ、室内機の側面に形成される目地をきれいに形成することが可能になる。
【００１０】
請求項２に係る空気調和装置の室内機は、請求項１に記載の空気調和装置の室内機であって、フロントパネルは、正面においてケーシングに係止する係止部を有している。
従来の室内機のように横幅の拡大化を抑えるために係止部をフロントパネルの正面に設けている室内機がある。しかし、このような場合には、フロントパネルの前面においては係止部によって位置が定められているが、フロントパネルの側面の位置を定める基準となるものが側面に無いために、側面に形成される目地が広がったり狭まったりと安定しない場合がある。したがって、室内機の側面に形成される目地をきれいな状態のままで保つことが困難になる恐れがある。
【００１１】
しかし、ここでは、フロントパネルの正面において係止部を有しているような場合であっても、第３側面に設けられたストッパーと第１側面に設けられた係止部とによって、目地をきれいに保持することができるようになる。
請求項３に係る空気調和装置の室内機は、請求項１または２に記載の空気調和装置の室内機であって、膨出部は、フロントパネルのセット解除において手掛けツマミとして用いられる。
【００１２】
ここでは、膨出部が外側に膨出していることによってできる膨出部内側の空間においてストッパーが設けられている。このため、膨出部内側にできた空間は、フロントパネルのセット解除に用いるためのツマミ部分を掴むために指などを入れる空間として利用することができるというだけでなく、室内機の側面にきれいな目地を形成させるためのフロントパネルのストッパーを取り付けるための空間としも有効に利用することが可能となる。
【００１３】
請求項４に係る空気調和装置の室内機は、請求項１から３のいずれかに記載の空気調和装置の室内機であって、ケーシングにフロントパネルをセットした状態において、ストッパーおよび被当接部は、側面視において視野に入らない。
ここでは、ストッパーおよび被当接部が、ケーシングにフロントパネルをセットした状態において視野に入らない構造を採用している。このため、室内機をよりきれいに形成させることが可能となる。例えば、ストッパーが設けられている膨出部を第３側面の目地が形成される側の端面ではなくて第３側面の中央付近に設けた場合には、第２側面における対応部分に被当接部を設けることにより、ストッパーおよび被当接部が覆い隠されて視野に入らなくなる。
【００１４】
請求項５に係る空気調和装置の室内機は、請求項１から４のいずれかに記載の空気調和装置の室内機であって、ケーシングにフロントパネルをセットした状態において、ストッパーには被当接部に押し付けられる力が作用している。
ここでは、フロントパネルがケーシングに対してセットされた状態において、フロントパネルがわずかに弾性変形をしてストッパーが被当接部に押し付けられている。これにより、第２側面に設けられた被当接部が、第３側面に設けられたストッパーに作用している力を支えることができるようになる。このため、第２側面に設けられた被当接部と第３側面に設けられたストッパーとの間の力によって被当接部とストッパーとが相対的に動いてしまうことを抑えることが可能となり、第２側面と第３側面との位置関係を定めることができるようになる。これによって、第３側面と、第２側面と繋がっている第１側面との間において目地をきれいに形成させることができるようになる。
【００１５】
請求項６に係る空気調和装置の室内機は、請求項１から５のいずれかに記載の空気調和装置の室内機であって、膨出部は、第３側面において、目地を構成する側の端面に設けられる。
ここでは、膨出部が、第３側面のうちの目地を構成する側の端面において設けられている。このため、第２側面と膨出部との正面視左右方向において膨出部内側に隙間ができ、指などを入れることが可能な部分ができることになる。したがって、フロントパネルをケーシングからセット解除する際において、セット解除を容易に行うことができるようになる。
【００１６】
請求項７に係る空気調和装置の室内機は、請求項１から６のいずれかに記載の空気調和装置の室内機であって、目地は、側面視において鉛直方向に延びる部分を少なくとも有する。
ここでは、室内機の側面に形成される目地は、側面視において鉛直方向に延びる部分を有している。このため、室内機の外観をよりきれいに見せることができるようになる。例えば、室内機が設置されている室内の壁に対して、側面視において平行に見せることができるようになるため、室内機の外観をよりきれいに見せることができるようになる。
【００１７】
請求項８に係る空気調和装置の室内機は、請求項１から７のいずれかに記載の空気調和装置の室内機であって、目地の幅は一定である。
ここでは、室内機の側面に形成される目地の幅が一定であるため、室内機の外観をよりきれいに見せることができるようになる。なお、ここで、目地の幅が一定とは、側面視において鉛直方向に形成された目地について前後方向の幅が一定である場合だけでなく、側面視において傾斜して形成された目地について前後方向の幅が一定である場合も含まれる。
【発明の効果】
【００１８】
請求項１に係る空気調和装置の室内機では、ストッパーや被当接部を視野に入りにくくすることができるようになり全体の見映えが悪化することを抑えつつ、室内機の側面に形成される目地をきれいに形成することが可能になる。
請求項２に係る空気調和装置の室内機では、フロントパネルの正面において係止部を有しているような場合であっても、第３側面に設けられたストッパーと第１側面に設けられた係止部とによって、目地をきれいに保持することができるようになる。
【００１９】
請求項３に係る空気調和装置の室内機では、膨出部内側にできた空間は、フロントパネルのセット解除に用いるためのツマミ部分を掴むために指などを入れる空間として利用することができるというだけでなく、室内機の側面にきれいな目地を形成させるためのフロントパネルのストッパーを取り付けるための空間としも有効に利用することが可能となる。
【００２０】
請求項４から５に係る空気調和装置の室内機では、室内機または目地をよりきれいに形成させることが可能となる。
請求項６に係る空気調和装置の室内機では、フロントパネルをケーシングからセット解除する際において、セット解除を容易に行うことができるようになる。
請求項７から８に係る空気調和装置の室内機では、室内機の外観をよりきれいに見せることができるようになる。
【発明を実施するための最良の形態】
【００２１】
＜空気調和装置の全体構成＞
本発明の一実施形態が採用された空気調和装置１００の外観を図１に示す。
この空気調和装置１００は、室内の壁面などに取り付けられる壁掛け式の室内機１と、室外に設置される室外機２とを備えている。
室内機１内及び室外機２内にはそれぞれ熱交換器が収納されており、各熱交換器が冷媒配管により接続されることにより冷媒回路を構成している。
【００２２】
＜空気調和装置の冷媒回路の構成概略＞
空気調和装置１００の冷媒回路の構成を図２に示す。この冷媒回路は、主として室内熱交換器１０、アキュムレータ２１、圧縮機２２、四路切換弁２３、室外熱交換器２０および膨張弁２４で構成される。
室内機１に設けられている室内熱交換器１０は、接触する空気との間で熱交換を行う。また、室内機１には、室内空気を吸い込んで室内熱交換器１０に通し熱交換が行われた後の空気を室内に排出するためのクロスフローファン１１が設けられている。このクロスフローファン１１は、長細い円筒形状に構成され、中心軸が水平方向に平行になるように配置されている。クロスフローファン１１は、室内機１内に設けられる室内ファンモータ１２によって回転駆動される。これらの室内熱交換器１０、クロスフローファン１１、室内ファンモータ１２は、室内機ケーシングに収容されている。室内機ケーシングについては後に詳細に説明する。
【００２３】
室外機２には、圧縮機２２と、圧縮機２２の吐出側に接続される四路切換弁２３と、圧縮機２２の吸入側に接続されるアキュムレータ２１と、四路切換弁２３に接続された室外熱交換器２０と、室外熱交換器２０に接続された膨張弁２４とが設けられている。膨張弁２４は、液閉鎖弁２６を介して配管に接続されており、この配管を介して室内熱交換器１０の一端と接続される。また、四路切換弁２３は、ガス閉鎖弁２７を介して配管に接続されており、この配管を介して室内熱交換器１０の他端と接続されている。また、室外機２には、室外熱交換器２０での熱交換後の空気を外部に排出するためのプロペラファン２８が設けられている。このプロペラファン２８は、室外ファンモータ２９によって回転駆動される。
【００２４】
＜室内機の構成＞
空気調和装置１００の室内機１は、図１に示すように、正面視に置いて左右方向Ｄ２に長い外形を有している。
室内機ケーシングは、本体ケーシング４と、フロントパネル３とを有する。本体ケーシング４は、上部ケーシング５および下部ケーシング６とが上下に組み合わされて構成されており、室内熱交換器１０やクロスフローファン１１等を内部に収容する。上部ケーシング５は、室内機１の上部を覆っている。下部ケーシング６は室内機１の下部を覆っている。図４において示すように、上部ケーシング５と下部ケーシング６とは別体に形成されている。なお、本体ケーシングの左側面４０および右側面４１は同様の構成である。フロントパネル３は、本体ケーシング４の前面に取り付けられる。
【００２５】
以下、室内機ケーシングの構成について、本体ケーシング４の構成と、フロントパネル３の構成とに分けて説明する。
［本体ケーシングの構成］
本体ケーシング４は、上部ケーシング５および下部ケーシング６とが上下に組み合わされて構成されている。以下、図３および図４を用いて、本体ケーシング４の構成を説明する。
【００２６】
＜上部ケーシング＞
上部ケーシング５は、図３に示すように、本体ケーシング４の上部を構成している。上部ケーシング５は、図４に示すように、下面側と背面側とが開口しており、下面側が下部ケーシング６によって閉じられ、背面側が図示しない据付板によって閉じられる。
上部ケーシング５の前面５０は格子状に形成されており開口が複数設けられている。この開口の前方は、図１に示すように、フロントパネル３を取り付けることによって覆われ、フロントパネル３の上部に設けられた吸込み口１４から吸い込まれた空気が開口を通って本体ケーシング４内へと取り込まれる。また、図３に示すように、上部ケーシング５の前面５０の下端は、正面視において水平方向に延びる略直線的な形状となっている。
【００２７】
上部ケーシング５の天面５１には、複数のスリット状の開口からなる吸込み口５２が設けられている。この吸込み口５２は、上部ケーシング５の天面５１の前側から後側にかけて複数設けられている。このため、フロントパネル３に設けられている吸込み口１４からだけでなく、上部ケーシング５の天面５１からも十分に空気が吸い込まれる。
上部ケーシング５の側面５３，５４には、左側面５３と右側面５４とがある。側面図である図６において示すように、右側面５４の下端面は、前後方向Ｄ３に後側の端部から前側へ向けて水平に延びた後、垂直に下方へと延び、さらに前側へ向けて水平に延びた形状となっている。つまり、右側面５４の下端面は、第１下端面５５、第２下端面５６、第３下端面５７によって構成されている。第１下端面５５は前後方向Ｄ３に後側から前側へと側面視において水平方向に延びており、右側面５４の前後方向長さの約４分の３の長さを有する。第２下端面５６は、第１下端面５５の前端から垂直に下方へと延びている。第３下端面５７は、前後方向Ｄ３に第２下端面５６の下端から前側へ向けて側面視において水平方向に延びており、第３下端面５７の前端は上部ケーシング５の前面５０に達している。第３下端面５７は、右側面５４の前後方向長さの約４分の１の長さを有する。なお、左側面５３についても同様の形状であり、右側面５４と同様に第１下端面５５、第２下端面５６、第３下端面５７によって構成されている。
【００２８】
ここで、図６に示すように、上部ケーシング５の右側面５４のうち、第１下端面５５を有している面を背面側右側面５４ｂと、第２下端面５６および第３下端面５７を有している面を前面側右側面５４ａとする。この前面側右側面５４ａは、背面側右側面５４ｂよりも左右方向Ｄ２方向において左に位置している。すなわち、上部ケーシング５のうち前面側右側面５４ａは、背面側右側面５４ｂより内側に位置している。なお、上部ケーシング５の左側面５３についても同様に、上部ケーシング５の前面側左側面５３ａと、背面側左側面５３ｂとがある。
【００２９】
＜下部ケーシング＞
下部ケーシング６は、図１において示すように、本体ケーシング４の下部を構成している。また、下部ケーシング６は、図４に示すように、天面側と背面側とが開口しており、天面側が上部ケーシング５によって閉じられ、背面側の一部が図示しない据付板によって閉じられる。
【００３０】
下部ケーシング６の前面６０の上端は正面視において水平に形成されており、上部ケーシング５の前面５０の下端と合致して水平方向に延びる境界線を構成する（図９参照）。また、下部ケーシング６の前面６０には、正面視における左右方向Ｄ２に長い開口からなる吹出し口６１が設けられている。この吹出し口６１は、クロスフローファン１１が収納されている空間に連通しており、クロスフローファン１１によって生成された空気流が吹出し口６１を通って室内へと吹出す。この吹出し口６１においては、吹き出される調和空気の風向を変更するための水平フラップ６１ａが設けられている。なお、図１では、この水平フラップ６１ａが吹出し口６１を閉じている状態を示している。
【００３１】
下部ケーシング６の下面６２は、本体ケーシング４の底面を構成し、平坦に形成されている。
下部ケーシング６の側面６３，６４には、図４において示すように、左側面６３と右側面６４とがある。右側面６４の上端は、前後方向Ｄ３に後側の端部から前側へ向けて水平方向に延びた後、垂直に下方へと延び、さらに前後方向Ｄ３に前側へ向けて水平方向に延びた形状となっている。つまり、右側面６４の上端は、第１上端面６５、第２上端面６６、第３上端面６７とによって構成されている。第１上端面６５は前後方向Ｄ３に後側から側面視において水平方向に延びており、右側面６４の前後方向長さの約４分の３の長さを有する。第２上端面６６は、第１上端面６５の前端から垂直に下方へと延びている。第３上端面６７は、前後方向Ｄ３に第２上端面６６の下端から前側へ向けて側面視に置いて水平に延びており、第３上端面６７の前端は前面６０に達している。第３下端面５７は、右側面６４の前後方向長さの約４分の１の長さを有する。なお、左側面６３についても同様の形状であり、右側面６４と同様に第１上端面６５、第２上端面６６、第３上端面６７とによって構成されている。
【００３２】
図６に本体ケーシング４の右側面４１を示す。上部ケーシング５が下部ケーシング６に被せられて固定された状態では、上部ケーシング５の右側面５４の下端と下部ケーシング６の右側面６４の上端とが組み合わされる。詳細には、第１上端面６５と第１下端面５５とが組み合わされ、第２上端面６６と第２下端面５６とが組み合わされ、第３上端面６７と第３下端面５７とが組み合わされる。
【００３３】
（固定構造）
固定構造７，８，９は、上部ケーシング５と下部ケーシング６とを固定する部分であり、第１固定構造７、第２固定構造８、第３固定構造９がある。
上記上部ケーシングと下部ケーシングとは、これらの固定構造によって、互いに固定されることによって本体ケーシング４を構成している。
【００３４】
［第１固定構造］
第１固定構造７は、図４と、図６中の一点鎖線において示すように、上部ケーシング５の側面５３，５４と下部ケーシング６の側面６３、６４とにおいて、背面側の端部近傍に設けられており、左側面４０および右側面４１にそれぞれ設けられている（図４および図６参照）。右側面４１においては、第１固定構造７は、本体ケーシング４の背面側右側面５４ｂにおける背面側の端部近傍において上部ケーシング５と下部ケーシング６とを固定する。第１固定構造７は、図４に示すように、上部ケーシング５に設けられる固定部７０と、下部ケーシング６に設けられる被固定部７１とを有しており、これらが互いに関わり合うことによって上部ケーシング５と下部ケーシング６とを固定している。なお、左側面４０に設けられる第１固定構造７も同様の構成である。
【００３５】
［第２固定構造］
第２固定構造８は、図３および図５に示すように、螺子止めによって上部ケーシング５と下部ケーシング６とを固定するようにして設けられており、左固定構造８２、中央固定構造８１、右固定構造８０を有している。左固定構造８２は、本体ケーシング４の前面５０の下端近傍であって正面視において左右方向Ｄ２の左端部近傍に設けられる。左固定構造８２は、本体ケーシング４の前面５０の下端近傍であって正面視において左右方向Ｄ２の左端部近傍において上部ケーシング５と下部ケーシング６とを固定する。右固定構造８０は、本体ケーシング４の前面５０の下端近傍であって正面視において左右方向Ｄ２の右端部近傍に設けられる。右固定構造８０は、本体ケーシング４の前面５０の下端近傍であって正面視において左右方向Ｄ２の右端部近傍において上部ケーシング５と下部ケーシング６とを固定する。中央固定構造８１は、本体ケーシング４の前面５０の下端近傍であって（上部ケーシング５の前面５０の下端近傍と、下部ケーシング６の前面６０の上端近傍であって）正面視において中央付近に設けられる。中央固定構造８１は、本体ケーシング４の前面５０に表れる上部ケーシング５と下部ケーシング６との境界線の近傍であって正面視における中央付近において上部ケーシング５と下部ケーシング６とを固定する。
【００３６】
第２固定構造８は、図５の本体ケーシング４の側面図において示すように、固定部８３、被固定部８４および螺子８５をそれぞれ有する。固定部８３は、上部ケーシング５の下端近傍に設けられている。被固定部８４は、下部ケーシング６の上端近傍に設けられている。固定部８３と被固定部８４とには、螺子孔がそれぞれ設けられている。螺子孔は、上部ケーシング５と下部ケーシング６とが固定された状態で水平方向かつ前後方向Ｄ３に連通して螺子８５と螺合する。第２固定構造８は、固定部８３と被固定部８４との螺子孔が合致した状態で、水平方向かつ前後方向に螺子８５が螺子孔にねじ込まれることによって、上部ケーシング５と下部ケーシング６とが固定される。
【００３７】
なお、第２固定構造８の一部が螺子止め以外の固定構造によって構成されていてもよく、例えば、中央固定構造８１が爪部と爪部に係合する被係合部とによって構成されてもよい。
［第３固定構造］
第３固定構造９は、図６に示すように、左側面４０および右側面４１にそれぞれ設けられている。以下、図６を参照しながら、右側面４１に設けられる第３固定構造９について説明するが、左側面４０に設けられる第３固定構造９も同様の構成である。
【００３８】
第３固定構造９は、図６に示すように、固定部９０と被固定部９１とから構成されている。固定部９０は上部ケーシング５において、被固定部９１は下部ケーシング６において、それぞれ図６に示すような位置に設けられている。すなわち、固定部９０は、上部ケーシング５の前面側右側面５４ａの内側面（正面視における左右方向Ｄ２の左側の面）において前後方向Ｄ３の後方の下端近傍に設けられている。これに対して被固定部９１は、下部ケーシング６の右側面６４において、固定部９０に対応する位置に設けられている。第３固定構造９においては、図６中の一点鎖線において示すようにして、固定部９０が被固定部９１によって係止される。このようにして固定部９０が被固定部９１によって係止された状態では、被固定部９１は、上部ケーシング５の前面側右側面５４ａの内側に配置されることになる。
【００３９】
また、第３固定構造９は、第１固定構造７と第２固定構造８との関わり合いによって、上部ケーシング５と下部ケーシング６とを固定する。第３固定構造９では、固定部９０と被固定部９１とが前後方向Ｄ３から係合することによって、右側面５４（５４ａ、５４ｂ）、６４の前後方向Ｄ３への動きが規制され、上部ケーシング５と下部ケーシング６とが固定される。なお、上部ケーシング５と下部ケーシング６とが固定されたセット状態においては、第３固定構造９は図５に示すような位置にくることになる。
【００４０】
なお、樹脂性のケーシングにおいては、上部ケーシング５と下部ケーシング６との係止によってたわみが生じて本体ケーシング４の側面中央付近において膨らみができてしまう恐れがある。しかし、この第３固定構造９によって、このようなたわみに基づく本体ケーシング４の膨らみを抑制することができる。
以上のようにして、上部ケーシング５と下部ケーシング６とが固定され、室内機１の本体ケーシング４を形成する。そして、この本体ケーシング４に対しては、以下に述べるフロントパネル３が取り付けられる。
【００４１】
［フロントパネルの構成］
フロントパネル３は、図１に示すように、本体ケーシング４の前面５０に対してセットすることによって取り付けられ、室内機１の前面５０を覆う。フロントパネル３は概ね平滑な表面に形成されており、図７において示すように、正面視においては下部ケーシング６の前面６０の上方に位置する。フロントパネル３の下端は水平な形状となっており、下部ケーシング６の前面６０の上端と組み合わされる。
【００４２】
フロントパネル３は、フロントパネルの開閉を示す外観斜視図である図８において示すように、下面側と背面側とが開口しており、それぞれ下面側と背面側とが本体ケーシング４によって覆われることにより本体ケーシング４に対してセットすることができる。フロントパネル３の天面側には、吸込み口１４が設けられており、この吸込み口１４から室内空気を本体ケーシング４内に取り込むことができる。
【００４３】
フロントパネル３には、図７および図８に示すように、前面３２、左側面３３と右側面３４とがある。以下、フロントパネル３の右側面について説明していくが、左側面についても同様に構成されている。
フロントパネル３の右側面３４の下端面３５は、セット時においては、図１０に示すように、前後方向Ｄ３方向に延びている。また、フロントパネル３の右側面３４の背面側端面３６は、鉛直方向Ｄ１方向に延びている。このフロントパネル３の下端面３５は、上記下部ケーシング６の第３上端面６７と対応した長さを有している。また、フロントパネル３の背面側端面３６は、図１０に示すように、上部ケーシング５の背面側右側面５４ｂの前面側端面５９と、下部ケーシング６の第２上端面６６との長さの合計に対応した長さを有している。このフロントパネル３の背面側端面３６と、上部ケーシング５の背面側右側面５４ｂの前面側端面５９および下部ケーシング６の第２上端面６６との間には、鉛直方向Ｄ１方向に目地Ｌが形成される。
【００４４】
フロントパネル３の側面３３，３４の下方の背面側端面３６においては、外側に膨出した手掛けツマミ３１が設けられている。すなわち、手掛けツマミ３１は、フロントパネル３の側面３３、３４から左右方向Ｄ２方向に膨出するようにして設けられている。そして、膨出して形成されている手掛けツマミ３１の内部の空間において内側に突出するようにしてストッパー３８が設けられている。このストッパー３８は、手掛けツマミ３１の膨出高さよりも低くなるようにされている。
【００４５】
［フロントパネルの取り付け］
フロントパネル３は、図１０に示ように、軸支構造１５と、装着構造１６と、位置だし構造１７との３つの構造によって、本体ケーシング４に対して取り付けられる。
ここで、上部ケーシング５の背面側側面５３ｂ、５４ｂと、下部ケーシング６の側面６３、６４と、フロントパネル３の側面３３，３４とは、上部ケーシング５の前面側側面５３ａ、５４ａよりも外側に位置している。このため、フロントパネル３が本体ケーシング４に対してセットされると、上部ケーシング５の前面側側面５３ａ、５４ａはフロントパネル３の側面３３，３４によって覆い隠されるため、前面側側面５３ａ、５４ａは、側面視においてほぼ視野に入らない状態になる。
【００４６】
軸支構造１５は、図９および図１０に示すように、開閉支持部３７と、回転係止部１３７とから構成されている。開閉支持部３７は、フロントパネル３の内側の上端面近傍の２箇所に設けられ左右方向Ｄ２に向けて突出して回転支持される部分を有している。回転係止部１３７は、上部ケーシング５の天面５１に上述の開閉支持部３７に対応する２箇所の位置に設けられ、左右方向Ｄ２を軸にフロントパネル３を回転させることができるような構造となっている。フロントパネル３は、軸支構造１５の２箇所を結んだ線である左右方向Ｄ２方向を回転軸方向として本体ケーシング４に対して回転可能にセットされる。すなわち、フロントパネル３は、本体ケーシング４に対して、上記２箇所を結んだ線を軸にして開閉することができる。
【００４７】
装着構造１６は、図８、図１０および図１１に示すように、爪３９と、被係止部６９とから構成されている。爪３９は、フロントパネル３側の前面３２の内側の下端近傍において３箇所に設けられている。被係止部６９は、本体ケーシング４側の上部ケーシング５の前面５０の下端近傍の３箇所において設けられている。この装着構造１６では、上述の軸支構造１５における回転軸を中心にフロントパネル３が回転してセットされた際に、フロントパネル３の爪３９と上部ケーシング５の被係止部６９とが係合するという構造になっている。
【００４８】
位置だし構造１７は、図１０に示すように、ストッパー３８と、リブ５８とから構成されている。ストッパー３８は、フロントパネル３側の手掛けツマミ３１の内側に設けられている。リブ５８は、本体ケーシング４側の上部ケーシング５における前面側右側面５４ａに設けられている。なお、このリブ５８は、図６の本体ケーシング４の側面図においては図面が煩雑となることを避けるために記載していない。また、上部ケーシング５と下部ケーシング６とを固定するための第３固定構造９のうちの固定部９０は上部ケーシング５の前面側右側面５４ａの内側に設けられているのに対して、このリブ５８は、図１２に示すように、上部ケーシング５の前面側右側面５４ａの外側に設けられている。
【００４９】
ストッパー３８は、図１０および図１１に示すように、フロントパネル３の手掛けツマミ３１の内側において、内部方向に向けて延びるようにして形成されている。このストッパー３８は、フロントパネル３を本体ケーシング４に対してセットした際に、上部ケーシング５にストッパー３８に対応する位置において設けられているリブ５８に当接される。
このようにしてフロントパネル３の位置が定められると、室内機１の右側面図である図９において示すように、上部ケーシング５の背面側右側面５４ｂの前面側端面５９と、フロントパネル３の右側面３４の背面側端面３６との間において、目地Ｌが形成される。この目地Ｌは、鉛直方向Ｄ１に延びており、側面視においてほぼ一定の目地幅によって構成されている。
【００５０】
ここでは、フロントパネル３を本体ケーシング４に対してセットした状態において、軸支構造１５と装着構造１６とによって位置が定められたフロントパネル３には、わずかに弾性変形が生じている。このようにして生じた弾性変形によって、フロントパネル３のストッパー３８は、前後方向Ｄ３後方に向けて力が作用しているという状態となる。したがって、フロントパネル３のストッパー３８には、セット時において、前後方向Ｄ３後方に向けてリブ５８を押す方向の力が作用する。このため、前面側右側面５４ａに設けられたリブ５８とフロントパネル３の右側面３４に設けられたストッパー３８との間の力によってリブ５８とストッパー３８とが相対的に動いてしまうことを抑えて、前面側右側面５４ａとフロントパネル３の右側面３４との位置関係を定めることができるようになる。これにより、上部ケーシング５の背面側右側面５４ｂの前面側端面５９とフロントパネル３の右側面３４の背面側端面３６との間にきれいな目地Ｌを形成することができる。
【００５１】
また、図１１において示されるように、ストッパー３８は、手掛けツマミ３１の内側において設けられており、フロントパネル３を本体ケーシング４に対してセットした状態においては、ストッパー３８およびリブ５８は、側面視において視野に入らないように構成されている。
なお、手掛けツマミ３１は、フロントパネル３の側面から左右方向Ｄ２方向に膨出しているが、上記ストッパー３８およびリブ５８は、この手掛けツマミ３１の膨出高さよりも低くなるようにして設けられている。これにより、手掛けツマミ３１における膨出は、フロントパネル３の位置を定めるだけでなく、フロントパネル３を開閉するための摘み部分として機能することができる。
【００５２】
なお、本体ケーシング４には、本体ケーシング４の前面５０においてエアフィルタ（図示せず）が設けられている。このエアフィルタは、本体ケーシング４の前面５０において略上下方向にスライドすることにより脱着される。このように、フロントパネル３の開閉は、例えば、エアフィルタを取り付けたり、取り外したりする際において行われる。フロントパネル３を開閉する際には、図８および図９において示すように、フロントパネル３の左右両サイドに設けられた手掛けツマミ３１を摘み、前述したフロントパネル３の上端部の回転軸を中心に回転させることによって開閉される。
【００５３】
＜特徴＞
（１）
上記実施形態における空気調和装置１００の室内機１では、フロントパネル３のセット時において、上部ケーシング５の前面側側面５３ａ、５４ａに設けられたリブ５８と、フロントパネル３の側面３３，３４の内側に設けられたストッパー３８とによって、フロントパネル３の位置が定められるため、室内機１の側面に形成される目地の調整を行うことができる。したがって、室内機１の側面における目地をきれいに形成させることができるようになる。
【００５４】
さらに、ストッパー３８はフロントパネル３の側面３３，３４の手掛けツマミ３１の内側に設けられており、上部ケーシング５の前面側側面５４ａに設けられたリブ５８はフロントパネル３のセット時において、外側に位置するフロントパネル３の手掛けツマミ３１によって覆い隠され、側面視において見えにくくすることができる。このため、ストッパー３８やリブ５８設けたとしても外観上これらを視野に入りにくくすることができるようになり、室内機１の見映えを向上させつつ、室内機１の側面に形成される目地Ｌをきれいに形成することも可能になる。
【００５５】
また、室内機１の側面に形成される目地Ｌは、側面視において鉛直方向Ｄ１に延びる部分を有している。このため、室内機１の外観をよりきれいに見せることができる。さらに、室内機１の側面に形成される目地Ｌの幅が一定であるため、室内機１の外観をよりきれいに見せることができる。
（２）
上記実施形態における空気調和装置１００の室内機１では、フロントパネル３に手掛けツマミ３１が設けられているため、フロントパネル３を掴みやすく、フロントパネル３を本体ケーシング４から容易にセット解除することができる。
【００５６】
また、手掛けツマミ３１は、フロントパネル３の側面３３，３４のうち目地Ｌを形成する側（前後方向Ｄ３の後ろ側）の端面において設けられている。このため、上部ケーシング５の前面側側面５３ａ、５４ａと手掛けツマミ３１との間に正面視左右方向Ｄ２の隙間ができる。このため、指などを入れることができるな空間が存在することになり、手掛けツマミ３１がフロントパネル３の側面３３，３４の中央付近に設けられている場合等に比べて、より容易にセット解除することができる。
【００５７】
（３）
フロントパネル３の正面の爪３９のみによってフロントパネル３の位置を定めているような場合には、側面に形成される目地Ｌの調節は困難になりやすい。しかし、このような場合であっても、上記実施形態における空気調和装置１００の室内機１では、フロントパネル３の側面３３，３４に設けられたストッパー３８と上部ケーシング５の前面側側面５３ａ、５４ａに設けられたリブ５８とによって、フロントパネル３の正面のみではなく側面においても位置決めをしているため、目地Ｌをきれいに保持することができるようになる。
【００５８】
（４）
上記実施形態における空気調和装置１００の室内機１では、手掛けツマミ３１は、フロントパネル３のセット解除に用いるツマミを摘み易くするための空間として利用するというだけでなく、室内機１の側面にきれいな目地Ｌを形成させるためのフロントパネル３のストッパー３８を取り付ける空間としも有効に利用することができる。
【００５９】
（５）
上記実施形態における空気調和装置１００の室内機１では、フロントパネル３を本体ケーシング４に対してセットした状態において、フロントパネル３には、わずかに弾性変形が生じている。この弾性変形によって、フロントパネル３のストッパー３８には、セット時において、前後方向Ｄ３後方に向けてリブ５８を押す方向の力が作用する。このため、前面側右側面５４ａに設けられたリブ５８とフロントパネル３の右側面３４に設けられたストッパー３８との間で作用する力によって、リブ５８に対してストッパー３８が相対的に動いてしまうことを抑えることができる。したがって、前面側右側面５４ａとフロントパネル３の右側面３４との位置関係を定めることができ、上部ケーシング５とフロントパネル３との間にきれいな目地Ｌを形成することができる。
【００６０】
＜他の実施形態＞
（１）
上記実施形態における空気調和装置１００の室内機１においては、フロントパネル３の側面３３，３４に膨出させた手掛けツマミ３１を設けている。
しかし、フロントパネル３の側面３３，３４においてこのような手掛けツマミ３１を設けるのではなく、上部ケーシング５の前面側側面５３ａ、５４ａにおいて対応部分を凹ませて凹部を形成させ、この凹部にリブやストッパーが位置されるような構成にしてもよい。
【００６１】
なお、この場合には、上部ケーシング５の前面側側面５３ａ、５４ａの一部を内側に凹ませることになるため、室内機１自体の横幅が拡大化してしまう恐れがある。しかし、上部ケーシング５の内部に配置される電装品箱等との位置関係で凹部のスペースを確保できる場合には、室内機１の横幅の拡大化を伴わないで上記実施形態と同様な効果を得られる室内機を構成できる。
【００６２】
（２）
上記実施形態においては、きれいに目地を形成することを目的としている。しかし、目地は、上記実施例において示したように特に均一である必要はなく、上記構成と同様な構成によって、目的に沿ったきれいな目地を形成することも可能である。
例えば、きれいに弧を描いた目地や、きれいに波打った形の目地であって模様として創作されたものであってもよい。このような複雑な目地であっても、上記構成によって、製品毎における目地の誤差を抑え、目的に沿うようなきれいな目地を有する室内機を製造することも可能である。
【００６３】
（３）
なお、他の部分に形成される目地についても、上記目地Ｌと同様に均一性を保持させるような構成にすることができる。例えば、本体ケーシング４の上部ケーシング５と下部ケーシング６との間に形成される目地について、上部ケーシング５の第１下端面５５、第２下端面５６、第３下端面５７のそれぞれと対応する下部ケーシング６の第１上端面６５、第２上端面６６、第３上端面６７のそれぞれとの間に形成される目地についても、上記実施形態における目地Ｌのように均一性を持たせることができる。
【００６４】
（４）
なお、第２固定構造８の一部は、螺子止め以外の固定構造によって構成されていてもよい。例えば、中央固定構造８１が、爪部と、爪部に係合する被係合部とによって構成されている場合であってもよい。
（５）
上記実施形態における空気調和装置１００の室内機１では、フロントパネル３は、本体ケーシング４に対して開閉可能に支持されている。しかし、フロントパネル３は、開閉可能に支持される場合に限らず、フロントパネル３自体を本体ケーシングから脱着可能に構成させることでセット・セット解除を行うようにしてもよい。この場合であっても、上記実施形態と同様に、フロントパネル３の手掛けツマミ３１の内側においてストッパー３８を設けて、上部ケーシング５の背面側側面５３ｂ、５４ｂとフロントパネル３の側面３３，３４の間において均一な目地Ｌを形成させることができる。
【００６５】
（６）
上記実施形態においては、手掛けツマミ３１はフロントパネル３の側面３３，３４の背面側端面３６において設けられている。しかし、手掛けツマミ３１はこのような端面ではなくてフロントパネル３の側面３３，３４の中央付近に設けられていてもよい。この場合には、リブ５８についても、上部ケーシング５の前面側側面５３ｂ、５４ｂにおける対応位置に設けることになる。これによって、ストッパー３８およびリブ５８が両方とも視野に入らなくなるため、よりいっそう室内機の外観をきれいに構成することも可能となる。
【００６６】
（７）
上記実施形態においては、手掛けツマミ３１の内部にストッパー３８が設けられており、このストッパー３８が本体ケーシング４の上部ケーシング５に設けられているリブ５８に当接することによって目地がきれいに形成されるようになっている。
しかし、手掛けツマミ３１の内部においてストッパー３８のような内側に突出した部材を設けるのではなくて、図１３に示すように、手掛けツマミ３１の内面側の部分３８’を直接リブ５８に当接させるようにして目地Ｌを構成させてもよい。この場合においても、目地Ｌをきれいに形成させつつ、リブ５８を手掛けツマミ３１の内側に収めることができるため、室内機１をきれいに形成することができる。
【産業上の利用可能性】
【００６７】
本発明に係る空気調和装置の室内機は、室内機の側面にきれいに目地を形成させつつ外観上の見映えを向上させることができるものであるため、側面に目地が形成されるような室内機について特に有用である。
【図面の簡単な説明】
【００６８】
【図１】空気調和装置の外観構成図。
【図２】空気調和装置の冷媒回路図。
【図３】本体ケーシングの前面視における外観斜視図。
【図４】本体ケーシングの背面視における外観斜視図。
【図５】本体ケーシングの側面図。
【図６】本体ケーシングの側面組立て図。
【図７】フロントパネルを取り付けた室内機の正面図。
【図８】フロントパネルの開閉を示す外観斜視図。
【図９】本体ケーシングとフロントパネルとの天面の固定構造を示す図。
【図１０】本体ケーシングとフロントパネルとの側面図。
【図１１】フロントパネルの開閉を示す側面図。
【図１２】フロントパネルの固定構造の断面図。
【図１３】他の実施形態に係るフロントパネルの固定構造の断面図。
【符号の説明】
【００６９】
１    室内機
３    フロントパネル
４    ケーシング
３１    膨出部（手掛けツマミ）
３４    第３側面（フロントパネルの側面）
３８    ストッパー
３９    係止部（爪）
５４ａ    第２側面（上部ケーシングの背面側側面）
５４ｂ    第１側面（上部ケーシングの前面側側面）
５８    被当接部（リブ）
６４    第１側面（下部ケーシングの前面側側面）
Ｄ１    鉛直方向
Ｌ    目地
【図１】
2005069544.tif 000003
【図２】
2005069544.tif 000004
【図３】
2005069544.tif 000005
【図４】
2005069544.tif 000006
【図５】
2005069544.tif 000007
【図６】
2005069544.tif 000008
【図７】
2005069544.tif 000009
【図８】
2005069544.tif 000010
【図９】
2005069544.tif 000011
【図１０】
2005069544.tif 000012
【図１１】
2005069544.tif 000013
【図１２】
2005069544.tif 000014
【図１３】
2005069544.tif 000015